(57)【特許請求の範囲】
【請求項１】
調理物を加熱する加熱手段と、調理を開始させる第１の入力手段と、調理および調理終了後の保温動作を制御し、保温開始からの保温経過時間を計時する制御手段と、前記保温経過時間を表示する表示手段を備え、前記表示手段は保温開始からの保温経過時間が第１の所定時間未満の場合とそれ以降において保温経過時間の表示単位を変更するようにした調理器。
【請求項２】
調理物を加熱する加熱手段と、調理を開始させる第１の入力手段と、調理動作を制御し、調理終了からの放置時間を計時する制御手段と、前記放置時間を表示する表示手段を備え、前記表示手段は調理終了からの放置時間が第１の所定時間未満の場合とそれ以降において放置時間の表示単位を変更するようにした調理器。
【請求項３】
保温経過時間あるいは放置時間が第２の所定時間またはそれ以上になった時に、その旨を報知するようにした請求項１または２記載の調理器。
【請求項４】
少なくとも２つ以上のメニューから選択して調理をスタートさせることのできる第３の入力手段を備え、選択されたメニューに応じて前記第２の所定時間を変更あるいは報知しないようにした請求項３記載の調理器。
【請求項５】
第２の所定時間を変更あるいは報知しないようにすることができる第４の入力手段を備えた、請求項３または４記載の調理器。
【請求項６】
調理を行うことなく、保温を開始することができる第５の入力手段を備え、第５の入力手段により保温を開始すると保温経過時間が第２の所定時間またはそれ以上になった時に、その旨を報知しないようにした請求項３〜５のいずれか１項に記載の調理器。
【発明の詳細な説明】
【０００１】
【発明の属する技術分野】
本発明は、一般家庭、あるいは業務用に使用する調理器に関するものである。
【０００２】
【従来の技術】
近年の調理器の多機能化はめざましく、使用者がつきっきりで調理する必要がないような性能改善が施されている。しかし、一方でいつ調理が終わったのか判からずに不必要に放置されたり保温されたりすることが増えており、余熱で調理する場合など適切なタイミングが判からなくなる場合があった。従来この種の調理器として、調理終了後の保温経過時間を表示するものがある。
【０００３】
【発明が解決しようとする課題】
しかしながら、従来の調理器では、表示の単位を荒くすれば必ずしも適切なタイミングが分かならい可能性があり、表示の単位を細かくすれば、適切なタイミングを知ることができるが、多数の桁を表示する表示部が必要になっていた。
【０００４】
本発明は上記従来の課題を解決するもので、調理終了後の保温経過時間あるいは放置時間の表示単位を途中で変更することにより、短時間から長時間にわたって適切なタイミングをより少ない表示部によって判るようにすることを目的としている。
【０００５】
【課題を解決するための手段】
本発明は上記目的を達成するために、調理物を加熱する加熱手段と、調理を開始させる第１の入力手段と、調理および調理終了後の保温動作を制御し、保温開始からの保温経過時間を計時する制御手段と、保温経過時間を表示する表示手段を備え、表示手段は保温開始からの保温経過時間が第１の所定時間未満の場合とそれ以降において保温経過時間の表示単位を変更するようにしたものである。
【０００６】
これによって、調理終了後の保温経過時間あるいは放置時間の表示単位を途中で変更することにより、短時間から長時間にわたって適切なタイミングをより少ない表示部によって判るようにしている。
【０００７】
【発明の実施の形態】
請求項１に記載の調理器は、調理物を加熱する加熱手段と、調理を開始させる第１の入力手段と、調理および調理終了後の保温動作を制御し、保温経過時間を計時する制御手段と、前記保温経過時間を表示する表示手段を備え、前記表示手段は保温開始からの保温経過時間が第１の所定時間未満の場合とそれ以降において保温経過時間の表示単位を変更するようにしたものであり、少ない表示部でも保温経過時間に応じた細かな保温経過時間を表示することができるので、余熱での調理を行う場合など、適切なタイミングを知ることができる。
【０００８】
請求項２に記載の調理器は、調理物を加熱する加熱手段と、調理を開始させる第１の入力手段と、調理動作を制御し、放置時間を計時する制御手段と、前記放置時間を表示する表示手段を備え、前記表示手段は、調理終了からの放置時間が第１の所定時間未満の場合とそれ以降において放置時間の表示単位を変更するようにしたものであり、少ない表示部でも保温経過時間に応じた細かな保温経過時間を表示することができ、また、保温機能を持たない調理器においては、少ない表示部でも放置時間に応じた細かな放置時間を表示することができるので、余熱での調理を行う場合など、適切なタイミングを知ることができる。
【０００９】
請求項３に記載の調理器は、保温経過時間あるいは放置時間が第２の所定時間またはそれ以上になった時に、その旨を報知するようにしたものであり、その瞬間に使用者が表示部を見なくても、適切なタイミングを知ることができる。
【００１０】
請求項４に記載の調理器は、少なくとも２つ以上のメニューから選択して調理をスタートさせることのできる第３の入力手段を備え、選択されたメニューに応じて前記第２の所定時間を変更あるいは報知しないようにしたものであり、その瞬間に使用者が表示部を見なくても、メニューに応じた適切なタイミングを知ることができる。
【００１１】
請求項５に記載の調理器は、第２の所定時間を変更あるいは報知しないようにすることができる第４の入力手段を備えたものであり、その瞬間に使用者が表示部を見なくても、自らが設定した適切なタイミングを知ることができる。
【００１２】
請求項６に記載の調理器は、調理を行うことなく、保温を開始することができる第５の入力手段を備え、第５の入力手段により保温を開始した場合には、保温経過時間が第２の所定時間またはそれ以上になった時に、その旨を報知しないようにしたものであり、通常の調理の場合にはその瞬間に使用者が表示部を見なくても、適切なタイミングを知ることができるとともに、第５の入力手段によって保温を開始した場合には、余計な報知をしないようにすることができる。
【００１３】
【実施例】
以下、本発明の実施例について、図面を参照しながら説明する。
【００１４】
（実施例１）
図１および図２は、本発明の第１の実施例のフローチャートとブロック図である。
【００１５】
図１においてステップ１は第１の入力手段としてたとえばキー操作によって調理を開始させる入力があったかどうかを判断する。入力があった場合はステップ２へ進み、それ以外はステップ１を繰り返す。ステップ２では、制御手段が所定のシーケンスに基づいて調理を行い、調理終了後、ステップ３へ進む。ステップ３で、制御手段は所定のシーケンスに従い保温動作を行い、保温経過時間の計時を行い、ステップ４へ進む。ステップ４では、保温経過時間が第１の所定時間たとえば１時間未満であるかどうかを判断し、１時間未満の場合はステップ５へ、１時間以上の場合はステップ６へ進む。ステップ５では、表示手段によって例えば図２のａのように１分単位で保温経過時間を表示し、ステップ３へ進む。ステップ６ではステップ５とは異なる単位である、例えば図２のｂのように１時間単位で保温経過時間を表示し、ステップ３へ進む。
【００１６】
以上のように本実施例によれば、保温経過時間が１時間未満の場合には１分単位での表示、１時間以上の場合には１時間単位での表示を行うことにより、限られた表示部であっても調理終了直後の経過をより詳しく、一定時間以上たった場合にもそれに応じた内容の経過時間を知ることができる。
【００１７】
（実施例２）
図３は、本発明の第２の実施例のフローチャートである。
【００１８】
図３においてステップ３１は第１の入力手段としてたとえばキー操作によって調理を開始させる入力があったかどうかを判断する。入力があった場合はステップ３２へ進み、それ以外はステップ３１を繰り返す。ステップ３２では、制御手段が所定のシーケンスに基づいて調理を行い、調理終了後、ステップ３３へ進む。ステップ３３で、制御手段は、保温のための加熱動作を行わず、調理終了からの経過時間である放置時間の計時を行い、ステップ３４へ進む。ステップ３４では、放置時間が第１の所定時間たとえば１時間未満であるかどうかを判断し、１時間未満の場合はステップ３５へ、１時間以上の場合はステップ３５へ進む。ステップ３４では、表示手段によって例えば１分単位で放置時間を表示し、ステップ３３へ進む。ステップ３５ではステップ３４とは異なる単位である、例えば１時間単位で放置時間を表示し、ステップ３３へ進む。
【００１９】
以上のように本実施例によれば、放置時間が１時間未満の場合には１分単位での表示、１時間以上の場合には１時間単位での表示を行うことにより、限られた表示部であっても調理終了直後の経過をより詳しく、一定時間以上たった場合にもそれに応じた内容の経過時間を知ることができる。
【００２０】
なお本実施例において、調理終了後制御手段は保温のための加熱動作を行わないとしているが、本体の冷却や調理物の冷却等の動作は行ってもかまわないことは明らかである。
【００２１】
（実施例３）
図４は、本発明の第３の実施例のフローチャートである。
【００２２】
図４においてステップ４１は第１の入力手段としてたとえばキー操作によって調理を開始させる入力があったかどうかを判断する。入力があった場合はステップ４２へ進み、それ以外はステップ４１を繰り返す。ステップ４２では、制御手段が所定のシーケンスに基づいて調理を行い、調理終了後、ステップ４３へ進む。ステップ４３で、制御手段は所定のシーケンスに従い保温動作を行い、保温経過時間の計時を行い、ステップ４４０へ進む。ステップ４４０では保温経過時間が第２の所定時間たとえば１５分を経過したかどうかを判断し、経過した場合にはステップ４４１へ、それ以外の場合はステップ４４へ進む。ステップ４４１では、ブザー等の報知手段を用いて、第２の所定時間が経過したことを報知し、ステップ４４へ進む。ステップ４４では、保温経過時間が第１の所定時間たとえば１時間未満であるかどうかを判断し、１時間未満の場合はステップ４５へ、１時間以上の場合はステップ４６へ進む。ステップ４５では、表示手段によって例えば１分単位で保温経過時間を表示し、ステップ４３へ進む。ステップ４６ではステップ４５とは異なる単位である、例えば１時間単位で保温経過時間を表示し、ステップ４３へ進む。なお、本実施例では、報知手段としてブザーをあげたが、ＬＥＤ、ＬＣＤ等の表示手段でもよく、調理器外部に通信して報知してもよい。また、本実施例では第２の所定時間が経過したときに報知するようにしているが、第２の所定時間が経過した後、表示手段等により、そのことを報知しつづけてもかまわないことは明らかである。
【００２３】
以上のように本実施例によれば、保温経過時間が１時間未満の場合には１分単位での表示、１時間以上の場合には１時間単位での表示を行うことにより、限られた表示部であっても調理終了直後の経過をより詳しく、一定時間以上たった場合にもそれに応じた内容の保温経過時間を知ることができるとともに、第２の所定時間が経過したことを報知するので、その瞬間に使用者が表示部を見なくても、適切なタイミングを知ることができる。
【００２４】
（実施例４）
図５および図６は、本発明の第４の実施例のフローチャートおよびブロック図である。
【００２５】
図５においてステップ５１は第１の入力手段としてたとえばキー操作によって調理を開始させる入力があったかどうかを判断する。入力があった場合はステップ５２へ進み、それ以外はステップ５１を繰り返す。ステップ５２では、制御手段が第３の入力手段により選択されたメニューに応じた所定のシーケンスに基づいて調理を行い、調理終了後、ステップ５３へ進む。ステップ５３で、制御手段は所定のシーケンスに従い保温動作を行い、保温経過時間の計時を行い、ステップ５４０へ進む。ステップ５４０では、第３の入力手段により選択されたメニューに応じて第２の所定時間を例えば第１のメニューの場合は１５分、第２のメニューの場合は１０分というように変更し、保温経過時間がこの第２の所定時間を経過したかどうかを判断し、経過した場合にはステップ４４１へ、それ以外の場合はステップ５４へ進む。ステップ５４では、保温経過時間が第１の所定時間たとえば１時間未満であるかどうかを判断し、１時間未満の場合はステップ５５へ、１時間以上の場合はステップ５６へ進む。ステップ５５では、表示手段によって例えば１分単位で保温経過時間を表示し、ステップ５３へ進む。ステップ５６ではステップ５５とは異なる単位である、例えば１時間単位で保温経過時間を表示し、ステップ５３へ進む。なお、本実施例では、報知手段としてブザーをあげたが、ＬＥＤ、ＬＣＤ等の表示手段でもよく、調理器外部に通信して報知してもよい。また、本実施例では第２の所定時間が経過したときに報知するようにしているが、第２の所定時間が経過した後、表示手段等により、そのことを報知しつづけてもかまわないことは明らかである。なお、本実施例では、全てのメニューで第２の所定時間を経過した場合に報知するようにしているが、１つないしは複数のメニューにおいて、報知しないようにしてもよい。
【００２６】
以上のように本実施例によれば、保温経過時間が１時間未満の場合には１分単位での表示、１時間以上の場合には１時間単位での表示を行うことにより、限られた表示部であっても調理終了直後の経過をより詳しく、一定時間以上たった場合にもそれに応じた内容の保温経過時間を知ることができるとともに、メニューに応じた第２の所定時間が経過したことを報知するので、その瞬間に使用者が表示部を見なくても、メニューに応じた適切なタイミングを知ることができる。
【００２７】
（実施例５）
図７および図８は、本発明の第５の実施例のフローチャートおよびブロック図である。
【００２８】
図７においてステップ７１は第１の入力手段としてたとえばキー操作によって調理を開始させる入力があったかどうかを判断する。入力があった場合はステップ７２へ進み、それ以外はステップ７１を繰り返す。ステップ７２では、制御手段が所定のシーケンスに基づいて調理を行い、調理終了後、ステップ７３へ進む。ステップ７３で、制御手段は所定のシーケンスに従い保温動作を行い、保温経過時間の計時を行い、ステップ７４０へ進む。ステップ７４０では保温経過時間が第２の所定時間たとえば１５分を経過したかどうかを判断し、経過した場合にはステップ７４１へ、それ以外の場合はステップ７４４へ進む。ステップ７４１では、ブザー等の報知手段を用いて、第４の入力手段によって設定された第２の所定時間が経過したことを報知し、ステップ７４へ進む。ステップ７４では、保温経過時間が第１の所定時間たとえば１時間未満であるかどうかを判断し、１時間未満の場合はステップ７５へ、１時間以上の場合はステップ７６へ進む。ステップ７５では、表示手段によって例えば１分単位で保温経過時間を表示し、ステップ７３へ進む。ステップ７６ではステップ７５とは異なる単位である、例えば１時間単位で保温経過時間を表示し、ステップ７３へ進む。なお、本実施例では、第４の入力手段によって第２の所定時間の変更を行っているが、報知をしないように設定できるようにしてもかまわないし、複数のメニューを持つ調理器において、そのメニューに応じて設定できるようにしてもかまわない。
【００２９】
以上のように本実施例によれば、保温経過時間が１時間未満の場合には１分単位での表示、１時間以上の場合には１時間単位での表示を行うことにより、限られた表示部であっても調理終了直後の経過をより詳しく、一定時間以上たった場合にもそれに応じた内容の保温経過時間を知ることができるとともに、使用者自身が設定した第２の所定時間が経過したことを報知するので、その瞬間に使用者が表示部を見なくても、自らが設定した適切なタイミングを知ることができる。
【００３０】
（実施例６）
図９および図１０は、本発明の第５の実施例のフローチャートおよびブロック図である。
【００３１】
図９においてステップ９０は第５の入力手段によって調理を行わずに保温を開始させる入力があったかどうかを判断する。入力があった場合はステップ９３へ、なかった場合はステップ９１へ進む。ステップ９１は第１の入力手段であるキー操作によって調理を開始させる入力があったかどうかを判断する。入力があった場合はステップ９２へ進み、それ以外はステップ９０へ進む。ステップ９２では制御手段が所定のシーケンスに基づいて調理を行い、調理終了後、ステップ９３へ進む。ステップ９３で、制御手段は所定のシーケンスに従い保温動作を行い、保温経過時間の計時を行い、ステップ９４０へ進む。ステップ９４０では保温経過時間が第２の所定時間たとえば１５分を経過したかどうかを判断し、経過した場合にはステップ９４２へ、それ以外の場合はステップ９４へ進む。ステップ９４２では、第５の入力手段によって保温が開始されたかどうかを判断し、第５の入力手段によって保温が開始された場合はステップ９４へ、それ以外の場合はステップ９４１へ進む。ステップ９４１ではブザー等の報知手段を用いて、第２の所定時間が経過したことを報知し、ステップ９４へ進む。ステップ９４では、保温経過時間が第１の所定時間たとえば１時間未満であるかどうかを判断し、１時間未満の場合はステップ９５へ、１時間以上の場合はステップ９６へ進む。ステップ９５では、表示手段によって例えば１分単位で保温経過時間を表示し、ステップ９３へ進む。ステップ９６ではステップ９５とは異なる単位である、例えば１時間単位で保温経過時間を表示し、ステップ９３へ進む。
【００３２】
以上のように本実施例によれば、保温経過時間が１時間未満の場合には１分単位での表示、１時間以上の場合には１時間単位での表示を行うことにより、限られた表示部であっても調理終了直後の経過をより詳しく、一定時間以上たった場合にもそれに応じた内容の保温経過時間を知ることができるとともに、第２の所定時間が経過したことを報知するので、その瞬間に使用者が表示部を見なくても、適切なタイミングを知ることができる。とともに、第５の入力手段によって保温を開始した場合には、余計な報知をしないようにすることができる。
【００３３】
なお、本実施例において、第１の所定時間以上の場合に経過時間の表示を継続するようにしているが、第１の所定時間とは異なる第３の所定時間以上になった場合、経過時間の表示をしないようにしてもよいし、保温を終了するようにしてもよいし、経過時間の計時を停止してもよいのは明らかである。
【００３４】
【発明の効果】
以上のように、本発明の請求項１に記載の発明によれば、調理物を加熱する加熱手段と、調理を開始させる第１の入力手段と、調理および調理終了後の保温動作を制御し、保温開始からの保温経過時間を計時する制御手段と、前記保温経過時間を表示する表示手段を備え、前記表示手段は保温開始からの保温経過時間が第１の所定時間未満の場合とそれ以降において保温経過時間の表示単位を変更するようにしたことで、少ない表示部でも保温経過時間に応じた細かな保温経過時間を表示することができ、余熱での調理を行う場合など、適切なタイミングを知ることができる。
【００３５】
また、請求項２に記載の発明によれば、調理物を加熱する加熱手段と、調理を開始させる第１の入力手段と、調理動作を制御し、調理終了からの放置時間を計時する制御手段と、前記放置時間を表示する表示手段を備え、前記表示手段は調理終了からの放置時間が第１の所定時間未満の場合とそれ以降において放置時間の表示単位を変更するようにしたことで、少ない表示部でも保温経過時間に応じた細かな保温経過時間を表示することができる。また、保温機能を持たない調理器においては、少ない表示部でも放置時間に応じた細かな放置時間を表示することができ、余熱での調理を行う場合など、適切なタイミングを知ることができる。
【００３６】
また、請求項３に記載の発明によれば、保温経過時間あるいは放置時間が第２の所定時間またはそれ以上になった時に、その旨を報知するようにしたので、その瞬間に使用者が表示部を見なくても、適切なタイミングを知ることができる。
【００３７】
また、請求項４に記載の発明によれば、少なくとも２つ以上のメニューから選択して調理をスタートさせることのできる第３の入力手段を備え、選択されたメニューに応じて前記第２の所定時間を変更あるいは報知しないようにしたので、その瞬間に使用者が表示部を見なくても、メニューに応じた適切なタイミングを知ることができる。
【００３８】
また、請求項５に記載の発明によれば、第２の所定時間を変更あるいは報知しないようにすることができる第４の入力手段を備えているので、その瞬間に使用者が表示部を見なくても、自らが設定した適切なタイミングを知ることができる。
【００３９】
また、請求項６に記載の発明によれば、調理を行うことなく、保温を開始することができる第５の入力手段を備え、第５の入力手段により保温を開始した場合には、保温経過時間が第２の所定時間またはそれ以上になった時に、その旨を報知しないようにしているので、通常の調理の場合にはその瞬間に使用者が表示部を見なくても、適切なタイミングを知ることができるとともに、第５の入力手段によって保温を開始した場合には、余計な報知をしないようにすることができる。
【図面の簡単な説明】
【図１】  本発明の第１の実施例のフローチャート
【図２】  本発明の第１の実施例のブロック図
【図３】  本発明の第２の実施例のフローチャート
【図４】  本発明の第３の実施例のフローチャート
【図５】  本発明の第４の実施例のフローチャート
【図６】  本発明の第４の実施例のブロック図
【図７】  本発明の第５の実施例のフローチャート
【図８】  本発明の第５の実施例のブロック図
【図９】  本発明の第６の実施例のフローチャート
【図１０】  本発明の第５の実施例のブロック図
【符号の説明】
１  入力手段１
２  入力手段３
３  入力手段４
４  入力手段５
５  加熱手段
６  制御手段
７  表示手段
８  報知手段
【図１】
0004039020.tif 000002
【図２】
0004039020.tif 000003
【図３】
0004039020.tif 000004
【図４】
0004039020.tif 000005
【図５】
0004039020.tif 000006
【図６】
0004039020.tif 000007
【図７】
0004039020.tif 000008
【図８】
0004039020.tif 000009
【図９】
0004039020.tif 000010
【図１０】
0004039020.tif 000011